(57)【要約】【課題】  改竄の危険性が小さく安全な履歴情報の蓄積を行うことができる通信システム提供する。【解決手段】  履歴情報を生成する物体４０に取り付けられ前記履歴情報を送信する無線ＩＣタグ１０と、該無線ＩＣタグにネットワーク５０、６０を介して接続され、前記履歴情報を蓄積する履歴情報蓄積装置２０とを有する通信システムであって、無線ＩＣタグは、生成された履歴情報を取得する履歴情報取得手段と、前記無線ＩＣタグに付与された識別情報である固有のＩＤを保持する保持手段と、前記履歴情報及び無線ＩＣタグ固有のＩＤを前記ネットワークを介して前記履歴情報蓄積装置に定期的に送信する送信手段とを有し、前記履歴情報蓄積装置は、受信した履歴情報を前記無線ＩＣタグ固有のＩＤ毎に蓄積する。【選択図】    図１
2006185392.tif 000002
【特許請求の範囲】
【請求項１】
履歴情報を生成する物体に取り付けられ前記履歴情報を送信する無線ＩＣタグと、該無線ＩＣタグにネットワークを介して接続され、前記履歴情報を蓄積する履歴情報蓄積装置とを有する通信システムであって、
前記無線ＩＣタグは、生成された履歴情報を取得する履歴情報取得手段と、
前記無線ＩＣタグに付与された識別情報である固有のＩＤを保持する保持手段と、
前記履歴情報及び前記無線ＩＣタグ固有のＩＤを前記ネットワークを介して前記履歴情報蓄積装置に定期的に送信する送信手段とを有し、
前記履歴情報蓄積装置は、受信した履歴情報を前記無線ＩＣタグ固有のＩＤ毎に蓄積することを特徴とする通信システム。
【請求項２】
前記ネットワークには、前記履歴情報を参照しようとする者が使用する端末装置が接続されており、
前記履歴情報を参照しようとする者が前記端末装置により前記無線ＩＣタグ固有のＩＤを含む参照要求データを送信すると、
前記参照要求データを受信した履歴情報蓄積装置は、該参照要求データに含まれる前記無線ＩＣタグ固有のＩＤを検索し、該当する無線ＩＣタグ固有のＩＤ毎に蓄積された履歴情報を読み出し、前記端末装置に送信することを特徴とする請求項１に記載の通信システム。
【請求項３】
履歴情報を生成する物体に取り付けられ前記履歴情報を送信する無線ＩＣタグと、該無線ＩＣタグにネットワークを介して接続され、前記履歴情報を蓄積する履歴情報蓄積装置とを有する通信システムの履歴情報蓄積方法であって、
前記無線ＩＣタグでは、履歴情報取得手段により、前記物体により生成された履歴情報を取得し、保持手段により前記無線ＩＣタグに付与された識別情報である固有のＩＤを保持するとともに、送信手段により前記履歴情報及び前記無線ＩＣタグ固有のＩＤを、前記ネットワークを介して前記履歴情報蓄積装置に定期的に送信し、
前記履歴情報蓄積装置は、受信した履歴情報を前記無線ＩＣタグ固有のＩＤ毎に蓄積することを特徴とする履歴情報蓄積方法。
【請求項４】
履歴情報を生成する物体に取り付けられ前記履歴情報を送信する無線ＩＣタグと、該無線ＩＣタグにネットワークを介して接続され、前記履歴情報を蓄積する履歴情報蓄積装置と、前記ネットワークに接続される前記履歴情報を参照しようとする者が使用する端末装置とを有する通信システムの履歴情報参照方法であって、
前記履歴情報を参照しようとする者が前記端末装置により前記無線ＩＣタグ固有のＩＤを含む参照要求データを送信すると、
前記参照要求データを受信した履歴情報蓄積装置により、該参照要求データに含まれる前記無線ＩＣタグ固有のＩＤを検索し、該当する無線ＩＣタグ固有のＩＤ毎に蓄積された履歴情報を読み出し、該履歴情報を前記端末装置に送信し、
前記履歴情報を参照しようとする者は、前記履歴情報蓄積装置により送信された前記履歴情報を前記端末装置により受信し、該履歴情報を参照することを特徴とする履歴情報参照方法。
【発明の詳細な説明】
【技術分野】
【０００１】
本発明は、改竄の危険性が小さい安全な履歴情報の蓄積を行うことができる通信システム、履歴情報蓄積方法及び履歴情報参照方法に関する。
【背景技術】
【０００２】
例えば、自動車の走行距離などの情報は自動車自身が計測し、計測した履歴情報はそれ自動車自身に設けられたデータ保持手段に蓄積される。蓄積された履歴情報は、例えば中古車の走行距離は中古車取引市場での価格を決定する重要な要素の一つとなっている。
【発明の開示】
【発明が解決しようとする課題】
【０００３】
しかしながら、売買により物自体の所有者が時とともに変わる場合など、悪意の中古車ディーラ等によって蓄積された履歴情報が改竄されても、後の所有者あるいは売買に絡む関係者が上記履歴情報改竄の事実を知ることが困難な場合がある。
【０００４】
本発明は、このような事情に鑑みてなされたものであり、改竄の危険性が小さく安全な履歴情報の蓄積を行うことができる通信システム、履歴情報蓄積方法及び履歴情報参照方法を提供することを目的とする。
【課題を解決するための手段】
【０００５】
上記目的を達成するために請求項１に記載の発明は、履歴情報を生成する物体に取り付けられ前記履歴情報を送信する無線ＩＣタグと、該無線ＩＣタグにネットワークを介して接続され、前記履歴情報を蓄積する履歴情報蓄積装置とを有する通信システムであって、前記無線ＩＣタグは、生成された履歴情報を取得する履歴情報取得手段と、前記無線ＩＣタグに付与された識別情報である固有のＩＤを保持する保持手段と、前記履歴情報及び前記無線ＩＣタグ固有のＩＤを前記ネットワークを介して前記履歴情報蓄積装置に定期的に送信する送信手段とを有し、前記履歴情報蓄積装置は、受信した履歴情報を前記無線ＩＣタグ固有のＩＤ毎に蓄積することを特徴とする。
【０００６】
また、請求項２に記載の発明は、請求項１に記載の通信システムにおいて、前記ネットワークには、前記履歴情報を参照しようとする者が使用する端末装置が接続されており、前記履歴情報を参照しようとする者が前記端末装置により前記無線ＩＣタグ固有のＩＤを含む参照要求データを送信すると、前記参照要求データを受信した履歴情報蓄積装置は、該参照要求データに含まれる前記無線ＩＣタグ固有のＩＤを検索し、該当する無線ＩＣタグ固有のＩＤ毎に蓄積された履歴情報を読み出し、前記端末装置に送信することを特徴とする。
【０００７】
また、請求項３に記載の発明は、履歴情報を生成する物体に取り付けられ前記履歴情報を送信する無線ＩＣタグと、該無線ＩＣタグにネットワークを介して接続され、前記履歴情報を蓄積する履歴情報蓄積装置とを有する通信システムの履歴情報蓄積方法であって、前記無線ＩＣタグでは、履歴情報取得手段により、前記物体により生成された履歴情報を取得し、保持手段により前記無線ＩＣタグに付与された識別情報である固有のＩＤを保持するとともに、送信手段により前記履歴情報及び前記無線ＩＣタグ固有のＩＤを、前記ネットワークを介して前記履歴情報蓄積装置に定期的に送信し、前記履歴情報蓄積装置は、受信した履歴情報を前記無線ＩＣタグ固有のＩＤ毎に蓄積することを特徴とする。
【０００８】
また、請求項４に記載の発明は、履歴情報を生成する物体に取り付けられ前記履歴情報を送信する無線ＩＣタグと、該無線ＩＣタグにネットワークを介して接続され、前記履歴情報を蓄積する履歴情報蓄積装置と、前記ネットワークに接続される前記履歴情報を参照しようとする者が使用する端末装置とを有する通信システムの履歴情報参照方法であって、前記履歴情報を参照しようとする者が前記端末装置により前記無線ＩＣタグ固有のＩＤを含む参照要求データを送信すると、前記参照要求データを受信した履歴情報蓄積装置により、該参照要求データに含まれる前記無線ＩＣタグ固有のＩＤを検索し、該当する無線ＩＣタグ固有のＩＤ毎に蓄積された履歴情報を読み出し、該履歴情報を前記端末装置に送信し、前記履歴情報を参照しようとする者は、前記履歴情報蓄積装置により送信された前記履歴情報を前記端末装置により受信し、該履歴情報を参照することを特徴とする。
【発明の効果】
【０００９】
以上説明したように、本発明によれば、無線ＩＣタグが取り付けられる物体の履歴情報が悪意の者によって改竄されるリスクを大幅に低減させることが可能である。  
この効果は無線ＩＣタグが取り付けられる物体の履歴情報を無線ＩＣタグより通信手段により定期的に履歴情報を無線ＩＣタグ固有の識別情報であるＩＤ毎に履歴情報を蓄積する履歴情報蓄積装置に送信することによって、履歴情報を生成する、無線ＩＣタグが取り付けられる物体とは離れた別の場所で履歴情報を安全に蓄積・管理するために得られるものである。
【発明を実施するための最良の形態】
【００１０】
以下、本発明の実施形態を、図面を参照して詳細に説明する。本発明の実施形態に係る通信システムの概略構成を図１に示す。本実施形態に係る通信システムは、履歴情報を生成する物体４０に取り付けられ履歴情報を送信する無線ＩＣタグ１０と、該無線ＩＣタグ１０にネットワーク５０、６０を介して接続され、前記履歴情報を蓄積する履歴情報蓄積装置２０とを有する通信システムである。ここで、本実施形態では、ネットワーク５０は、公衆広域無線アクセスネットワークであり、ネットワーク６０はインターネットである。
また、インターネット６０には、履歴情報を参照しようとする者３０が使用する端末装置３１が接続されている。ここで、本明細書において、「無線ＩＣタグ」とは、少なくとも自身の識別コード（ＩＤ）などの情報が記録されており、電波を使用して外部の管理システムと通信する機能を有している微小な無線ＩＣチップをいい、電源を内蔵するタイプと、電源を外部から供給されるタイプの両者を含むものとする。
【００１１】
本実施形態のように履歴情報を生成する物体が移動体である場合（自動車４０）、無線ＩＣタグ１０と履歴情報蓄積装置２０の間の通信は無線アクセス方式で実現される。また、その場合、履歴情報を生成する物体はその場所を限定することができないため、通信事業者が運用する公衆かつ広域の無線アクセスネットワークを利用することが望ましい。例えば、ＰＨＳ（登録商標）ネットワークや携帯電話ネットワーク等である。
一方、履歴情報参照者３０は履歴情報蓄積装置２０ヘアクセスできれば有線アクセスネットワークでも無線アクセスネットワークでもどちらでも履歴情報参照者３０の都合の良い方を利用すればよい。
【００１２】
上記構成において、物体（自動車）４０に取り付けられた無線ＩＣタグ１０では、履歴情報取得手段により、上記物体４０により生成された履歴情報を取得し、保持手段により無線ＩＣタグ１０に付与された識別情報である固有のＩＤを保持するとともに、送信手段により前記履歴情報及び前記無線ＩＣタグ固有のＩＤを、ネットワーク５０、６０を介して履歴情報蓄積装置２０に定期的に送信する。
履歴情報蓄積装置２０は、受信した履歴情報を無線ＩＣタグ１０固有のＩＤ毎に蓄積する。
【００１３】
また、履歴情報を参照しようとする者３０が端末装置３１により無線ＩＣタグ１０固有のＩＤを含む参照要求データを送信すると、該参照要求データを受信した履歴情報蓄積装置２０は、該参照要求データに含まれる無線ＩＣタグ１０固有のＩＤを検索し、該当する無線ＩＣタグ１０固有のＩＤ毎に蓄積された履歴情報を読み出し、端末装置３１に送信する。
【００１４】
図１に示した履歴情報を生成する物体である自動車４０に取り付けられた無線ＩＣタグ１０の具体的構成を図２に示す。ここで、履歴情報報を自動車４０の走行距離であるとする。
図２において、無線ＩＣタグ１０は、自動車４０により生成された履歴情報を取得する履歴情報取得手段１００と、前記履歴情報及び無線ＩＣタグ１０固有のＩＤを、ネットワーク５０、６０を介して履歴情報蓄積装置２０に定期的に送信する送信手段１１０と、履歴情報取得手段１００及び送信手段１１０を制御する制御手段１２０と、各部に電源を供給する電源供給手段１３０とを有している。
履歴情報取得手段１００は、取得した履歴情報を一時的に保持するバッファを含んで構成されている。
制御手段１２０は、無線ＩＣタグ１０に付与された固有の識別情報であるＩＤを保持する保持手段を含んで構成されている。この保持手段は、ＩＤを固定的に記憶・保持するＲＯＭ等の不揮発性メモリである。
【００１５】
無線ＩＣタグ１０は履歴情報取得手段１００により定期的に走行距離情報を取得し、送信手段１１０によって履歴情報蓄積装置２０（図１）へ送信する。走行距離情報の取得は、自動車４０の走行距離計あるいは電子制御ユニットから電子的に取得することが可能である。一連の動作は制御手段１２０によって制御される。
また、無線ＩＣタグ１０で消費される電力は電源供給手段１３０により行われる。電源供給手段１３０は、電源内蔵タイプのものでは、例えばボタン型電池などが考えられるが、外部から電源を供給するタイプのものとしては、自動車４０のバッテリから供給する場合、太陽電池を用いる場合なども考えられ、この限りではない。すなわち、無線ＩＣタグ１０で消費される電力は、内蔵する電源から供給してもよいし、外部から供給するようにしてもよい。
【００１６】
次に、図１における履歴情報蓄積装置２０の具体的構成を図３に示す。同図において、履歴情報蓄積装置２０は、履歴情報蓄積手段２００と、無線ＩＣタグ１０からＩＤ及び履歴情報を受信する受信手段２１０と、履歴情報参照者からの参照要求に応じて履歴情報蓄積手段２００から読み出した履歴情報を履歴情報参照者３０が使用する端末装置３１に送信する送信手段２２０と、各部を制御する制御手段２３０とを有している。
【００１７】
上記構成において、無線ＩＣタグ１０から定期的に送信される走行距離情報は受信手段２１０により受信される。受信した走行距離情報は履歴情報蓄積手段２００により蓄積される。
走行距離情報を参照しようとする者（履歴情報参照者）３０は、端末装置３１により履歴情報蓄積装置２０へ自動車４０の走行距離情報の参照要求データ（無線ＩＣタグ１０に付与された固有のＩＤ）を送信する。
【００１８】
該参照要求データを受信手段２１０により受信した履歴情報蓄積装置２０は送信手段２２０により該当する走行距離情報を、参照要求データを送信した端末装置３１へ送信する。
なお、履歴情報蓄積装置２０はインターネット６０に接続されたサーバ等で実現することができる。
【００１９】
図４に、履歴情報蓄積手段２００における履歴情報の蓄積方法の一例を示す。同図に示すように、無線ＩＣタグ１０のＩＤ毎に異なるディレクトリをあらかじめ用意し、ＩＤが１０１の無線ＩＣタグから送信された履歴情報は無線ＩＣタグＩＤ＝１０１に対応したディレクトリの様に、無線ＩＣタグ毎に履歴情報を蓄積する。
【００２０】
次に、図１における履歴情報蓄積装置の履歴情報蓄積時における処理内容を図５に示す。無線ＩＣタグ１０の情報であるＩＣクグＩＤと履歴情報種別は、あらかじめ履歴情報蓄積センタヘ登録されているものとする。
履歴情報蓄積装置２０は、無線ＩＣタグ１０からＩＣクグＩＤ及び履歴情報を受信すると（ステップ３００）、無線ＩＣタグＩＤが登録されているか否か、すなわち受信したＩＣクグＩＤに対応するディレクトリが存在するか否かを判定する（ステップ３０１）。
【００２１】
登録済みであれば無線ＩＣタグＩＤとともに送信された履歴情報を対応するディレクトリに格納し（ステップ３０２）、登録済みでなければ未登録ＩＤであり履歴時報を格納不能である旨送信元ヘメッセージを送信し（ステップ３０３）、その後送信された無線ＩＣタグＩＤと履歴情報を破棄する（ステップ３０４）。
【００２２】
なお、送信元（無線ＩＣタグ１０）へのエラーメッセージ返信は、無線ＩＣタグ１０に受信機能が無い場合、省略しても差し支えない。受信手段の省略は、無線ＩＣタグの低コスト化手法としては一般的である。
偽の無線ＩＣタグが、あたかも正しい無線ＩＣタグであるかのようになりすまして、履歴情報を送信し、履歴情報蓄積装置２０ヘ蓄積されてしまうことを避けるため、適当な暗号方式により無線ＩＣタグＩＤは秘匿されることが望ましい。
【００２３】
次に、履歴情報を参照する場合における履歴情報蓄積装置２０の処理内容を図６に示す。同図において、履歴情報を参照しようとする者３０は参照対象物（自動車４０）に取り付けられた無線ＩＣタグ１０の識別情報である無線ＩＣタグＩＤを含む参照要求データを端末装置３１により、履歴情報蓄積装置２０ヘ送信し、履歴情報蓄積装置２０該参照要求データを受信する（ステップ４００）。
【００２４】
履歴情報蓄積装置２０は、参照要求を送信した者がその権利を有する者であるかを確認するためにユーザ認証を行う（ステップ４０１）。権利を有していなければ、その旨エラーメッセージを返信して履歴情報の参照をさせない（ステップ４０４）。
また、ユーザ認証（ステップ４０１）で合格した参照要求に対しては、該当する無線ＩＣタグＩＤを検索し、該当する無線ＩＣタグＩＤが存在するか否かを判定する（ステップ４０２）。
【００２５】
該当する無線ＩＣタグＩＤが存在すれば、そのディレクトリ配下に格納された履歴情報（走行距離）を履歴情報参照者３０の使用する端末装置３１に送信する（ステップ４０３）。該当する無線ＩＣタグＩＤが存在しなければ、履歴情報が存在しない旨エラーメッセージを返信する（ステップ４０５）。
なお、ユーザ認証を実施するか否かは、履歴情報の公開性に従って決定すべきである。ユーザ認証を実施すれば不特定多数の者から参照される可能性を大きく減らせるが、逆に誰でも容易に参照できるようにしたい場合は、あらかじめユーザ登録が必要である等、使い勝手において煩雑さが増してしまうからである。
履歴情報の公開性を大きくして誰でも参照できるようにしたい場合は、本実施形態で示したユーザ認証プロセスは省略すべきである。
【００２６】
本実施形態によると、履歴情報そのものは履歴情報を生成する物とは離れた別の場所に蓄積・管理されるため、悪意の者による情報の改竄リスクを小さくすることが可能である。
【産業上の利用可能性】
【００２７】
以上に説明した本発明に係る通信システム、履歴情報蓄積方法及び履歴情報参照方法によれば、履歴情報を蓄積するメリットが得られるのは、使用履歴情報が価格を決定する重要な要因となる中古売買市場が存在する場合が考えられる。本実施形態で述べた自動車を始めとして、建設機械、工作機械等の稼働期間や負荷履歴、楽器の使用期間、ゴルフクラブの打球回数など多くの事例が考え得る。
【図面の簡単な説明】
【００２８】
【図１】本発明の実施形態に係る通信システムの概略構成を示す図。
【図２】図１に示した本発明の実施形態に係る通信システムにおける無線ＩＣタグの構成を示すブロック図。
【図３】図１に示した本発明の実施形態に係る通信システムにおける履歴情報蓄積装置の構成を示すブロック図。
【図４】履歴情報の蓄積方法を示す説明図。
【図５】図１に示した本発明の実施形態に係る通信システムにおける履歴情報蓄積装置の履歴情報蓄積時における処理内容を示すフローチャート。
【図６】図１に示した本発明の実施形態に係る通信システムにおける履歴情報蓄積装置の履歴情報参照時における処理内容を示すフローチャート。
【符号の説明】
【００２９】
１０…無線ＩＣタグ、２０…履歴情報蓄積装置、３０…履歴情報参照者、３１…端末装置、４０…物体（自動車）、５０…ネットワーク（公衆広域無線アクセスネットワーク）、５１…基地局、６０…ネットワーク（インターネット）、１００…履歴情報取得手段、１１０、２２０…送信手段、１２０、２３０…制御手段、１３０…電源供給手段、２００…履歴情報蓄積手段、２１０…受信手段
【図１】
2006185392.tif 000003
【図２】
2006185392.tif 000004
【図３】
2006185392.tif 000005
【図４】
2006185392.tif 000006
【図５】
2006185392.tif 000007
【図６】
2006185392.tif 000008